(57)【要約】【課題】間欠送り装置とこれに隣接する印刷ユニットとの間の間隔を、各印刷ユニットを、これの間隔を狭くなる方向に移動したときにも広くなることがないようにする。【解決手段】上流側と下流側の間欠送り装置１１，１２間に複数組の印刷ユニット３ａ，３ｂ，３ｃを配置し、印刷サイズの変更に従ってこの印刷ユニットを移動して各印刷ユニット間の間隔を変化させるようにしたバリアブル印刷機において、少なくとも一方の間欠送り装置をこれに隣接する印刷ユニットの移動に合わせて移動可能にした。【選択図】図２
2005088514.tif 000002
【特許請求の範囲】
【請求項１】
上流側と下流側の間欠送り装置間に複数組の印刷ユニットを配置し、印刷サイズの変更に従ってこの印刷ユニットを移動して各印刷ユニット間の間隔を変化させるようにしたバリアブル印刷機において、
少なくとも一方の間欠送り装置をこれに隣接する印刷ユニットの移動に合わせて移動可能にした
ことを特徴とするバリアブル印刷機。
【請求項２】
上流側と下流側の間欠送り装置間に複数組の印刷ユニットを配置し、印刷サイズの変更に従ってこの印刷ユニットを移動して各印刷ユニット間の間隔を変化させるようにしたバリアブル印刷機において、
少なくとも一方の間欠送り装置をこれに隣接する印刷ユニットの移動に合わせて移動可能にすると共に、
この間欠送り装置とこれに隣接する印刷ユニットとを一体構成とした
ことを特徴とするバリアブル印刷機。
【発明の詳細な説明】
【技術分野】
【０００１】
本発明は、連続した用紙にブランケット胴の周長より短い天地長さの絵柄を相互の印刷絵柄間に余分のスペースがあくことなく印刷するようにしたバリアブル印刷機に関するものである。
【背景技術】
【０００２】
バリアブル印刷機は図１に示すようになっていて、同期して正転と逆転を行うことができるようにした上流側と下流側の間欠送り装置１、２の間に複数組の印刷ユニット３ａ，３ｂが配置されている。そしてこの各印刷ユニット３ａ，３ｂは版胴４とブランケット胴５と圧胴６とからなり、ブランケット胴５の周面には、例えば１／２円周長ｓ−ａの印刷面となる大径部が設けてあり、この大径部の周面にブランケット７が取り付けてある。
【０００３】
このバリアブル印刷機において、例えば一方の印刷ユニット３ａにおいて、版胴４からブランケット７に、これの始端ｓからｂの周方向長さにわたって版が転写され、すなわち、天地方向長さがｓ−ｂの印刷を天地方向に繰り返し連続的に用紙８に印刷する場合、ブランケット胴５が連続回転する間に、間欠送り装置１，２の作用により、用紙８は、ブランケット胴５の大径部の周長ｓ−ａにわたって等速で前進走行し、次のブランケット７がなくブランケット胴５と圧胴６間に隙間がある間であるニップ開放部となる小径部の周長ａ−ｓの回転にわたってａ−ｂだけ逆方向に走行し、これを順次繰り返して、ブランケット胴５の回転ごとに、用紙８上にｓ−ｂの天地長さの画像の印刷が繰り返し印刷されるようになっている。（例えば、特許文献１参照）。また、このバリアブル印刷機にあっては、絵柄の天地サイズの変更に応じて印刷ユニットを用紙の走行ラインに沿ってサイズ毎の適正位置に移動するようになっている（例えば、特許文献２参照）。
【０００４】
そして上記バリアブル印刷機での上流側の間欠送り装置１，２は用紙供給装置の下流側に固定されており、また下流側の間欠送り装置は加工部の上流側に固定されており、この両間欠送り装置間内で印刷ユニット３ａ，３ｂが移動するようになっている（例えば、特許文献２参照）。
【０００５】
【特許文献１】特開２００３−３９６３０号公報
【特許文献２】特開２００３−５３９３０号公報
【発明の開示】
【発明が解決しようとする課題】
【０００６】
従来のバリアブル印刷機では一定の間隔で設置された間欠送り装置間に複数組の印刷ユニットが移動可能に配置されているため、印刷の天地サイズの変更に保って印刷ユニットを移動した場合、例えば、最下流側の印刷ユニットに対してこれより上流側の印刷ユニットを相互の間隔が狭くなる方向に移動した場合、最上流側の印刷ユニットと上流側の間欠送り装置との間隔が広がり、この間の紙パスが必要以上に長くなる。これは印刷ユニットの数が多い程長くなる。
【０００７】
このため、上記のように天地サイズの変更に伴って、間欠送り装置と印刷ユニットとの間隔が必要以上に大きくなると、この間において間欠走行する用紙にバタツキや蛇行が発生しやすくなると共に、テンション変動が生じて印刷見当の精度に悪影響が生じる。
【０００８】
本発明は上記のことに鑑みなされたもので、印刷ユニットの移動に伴い、これに追随して間欠送り装置が移動できるようにして、各印刷ユニットをこれの間隔が狭くなるよう移動したときにも間欠送り装置と印刷ユニット間の間隔が広くなることがなく、常時最短にておけるようにすることにより、上記した従来の問題を解決できるバリアブル印刷機を提供することを目的とするものである。
【課題を解決するための手段】
【０００９】
上記の目的を達成するために、本発明に係るバリアブル印刷機は、上流側と下流側の間欠送り装置間に複数組の印刷ユニットを配置し、印刷サイズの変更に従ってこの印刷ユニットを移動して各印刷ユニット間の間隔を変化させるようにしたバリアブル印刷機において、少なくとも一方の間欠送り装置をこれに隣接する印刷ユニットの移動に合わせて移動可能にした構成になっている。また、上記移動可能にした間欠送り装置とこれに隣接する印刷ユニットとを一体構成にした。
【発明の効果】
【００１０】
本発明によれば、印刷の天地サイズ変更により、各印刷ユニットが移動したときにも、間欠送り装置とこれに隣接する印刷ユニットとの間の間隔を常時最短にすることができ、特に、印刷の天地サイズが短くなる方に変更したときにあっても間欠送り装置とこれに隣接する印刷ユニットとの間の間隔が開くことがなく、この場合においての用紙のバタツキや蛇行の発生を防止でき、印刷見当の精度を維持することができる。
【発明を実施するための最良の形態】
【００１１】
本発明の実施の形態を図２以下にて説明する。なおこの説明において図１で示した部材及び装置と同一の部材及び装置は同一の符号で示して説明を省略する。
【００１２】
図２は用紙８の片面にのみバリアブル印刷を行う場合の紙通し状態を示す。複数の印刷ユニット３ａ，３ｂ，３ｃは所定の間隔を有して基台９に固定されており、給紙装置１０から供給される用紙８は上流側の間欠送り装置１１を経て各印刷ユニット３ａ〜３ｃを通り、下流側の間欠送り装置１２に至り、さらに加工部１３に紙通しされている。
【００１３】
各印刷ユニット３ａ〜３ｃは前記したように基台９に対して移動可能になっていて、印刷絵柄の天地長さに応じて相互の間隔を変えるために用紙８の走行方向に移動して印刷位置合わせを行うようになっている。なお各印刷ユニット３ａ〜３ｃの下流側には印刷面を乾燥するためのＵＶ乾燥機等の乾燥機１４が設けられている。
【００１４】
上流側と下流側の両間欠送り装置１１，１２はｓ字送り部１１ａ，１２ａとループ部１１ｂ，１２ｂ（あるいはダンサーロール）とからなる公知の構成のもので、ｓ字送り部１１ａ，１２ａが印刷ユニット側に向くように対称状に配置されている。そしてこの各間欠送り装置１１，１２において、上流側の間欠送り装置１１は給紙装置１０に対して別体構成になっていて、基台９に対して用紙８の走行方向に移動可能に固定される構成になっている。また、下流側の間欠送り装置１２は加工部１３に対して別体構成になっていて、基台９に対して用紙８の走行方向に移動可能に固定される構成になっている。
【００１５】
上記印刷ユニット３ａ〜３ｃ及び間欠送り装置１１，１２の基台９に対する支持構成は基本的には同一の構成となっていて、その一例を図３に概略的に示す。
【００１６】
各ユニット及び装置のそれぞれのフレーム１５は基台９上に固着したレール１６上にリニアガイド１７を介して用紙８の走行方向に所定のストロークにわたって移動可能に載置されている。そしてフレーム１５は基台９に移動方向に設けたねじ軸１８に螺合しており、このねじ軸１８を傘歯車機構１９を介してハンドル２０に回転することによりフレーム１５が移動するようになっている。また、基台９側には、ロック部材２１が偏心カム軸２２を回転することにより下方へ移動するように設けてあり、このロック部材２１の上端部がフレーム１５の一側部に対向されている。そして、ロック部材２１を下動することによりフレーム１５が基台９に押え付けられて固定されるようになっている。
【００１７】
上記構成において、印刷ユニット３ａ〜３ｃの場合に、ハンドル２０に替えてセクショナルモータのように個々に制御可能にした電動モータを用いてもよい。この場合、フレーム１５の位置はポテンショメータ等の検出装置で検出したその値を制御装置に入力する。
【００１８】
上記構成において、絵柄の天地サイズの変更に伴い、各印刷ユニット３ａ〜３ｃの間隔が変えられ、所定の位置に固定される。このとき、各印刷ユニット間を、Ｌだけ狭くする場合、例えば、最下流側である第３の印刷ユニット３ｃを固定してこれを基準とした場合、印刷ユニットが３組の場合、最上流側である第１の印刷ユニット３ａは２Ｌにわたって下流側へ移動されることになり、それだけ上流側の間欠送り装置１１との間の間隔が広くなる。従って、このときに、上流側の間欠送り装置１１を２Ｌだけ下流側へ移動することにより、印刷ユニット３ａに対する入口側の紙パスが広がるのが防止される。
【００１９】
上記作用を、最上流側の印刷ユニット３ａを基準にして行う場合には下流側の間欠送り装置１２を最下流側の印刷ユニット３ｃの動き量に応じて移動する。
【００２０】
図４は最上流側の印刷ユニット３ａにて裏面にバリアブル印刷を行い、他の印刷ユニット３ｂ，３ｃで表面にバリアブル印刷を行う場合の紙通し状態を示す。上流側の間欠送り装置１１よりの用紙８を第１の印刷ユニット３ａを上側から迂回反転させて間欠送り装置１１に設けたガイドロール１１ｃまで逆行させて用紙８の裏面にバリアブル印刷を行う。その後このガイドロール１１ｃから反転正行させて第１の印刷ユニット３ａから以下の印刷ユニット３ｂ，３ｃへ用紙８を紙通ししてこれの表面にバリアブル印刷を行う。
【００２１】
この場合も、印刷絵柄の天地サイズの変更に伴う各印刷ユニット３ａ〜３ｃの間隔の変更に従って上流側あるいは下流側の間欠送り装置１１，１２を移動してこの各間隔送り装置１１，１２と印刷ユニットとの間の紙通り間隔を最も短くなるように設定する。
【００２２】
なおこの場合の上流側の間欠送り装置１１と第１の印刷ユニット３ａとの間の間隔は、この部分に乾燥機１４が設置されるため、この間隔は図２に示す片面印刷の場合より広くなる。そしてこの場合の上流側の間欠送り装置１１と第１の印刷ユニット３ａとの間の用紙８はガイドロールに案内されて３本の紙通路があるため、この間の紙パスは他の部分に比較して長くなるが、間欠送り装置１１を印刷ユニット３ａ側へ移動したときのこの間の紙パスは、間欠送り装置１１の移動量の３倍の長さだけ短くなる。
【００２３】
図５は本発明の他の実施の形態を示すもので、上流側の間欠送り装置１１は第１の印刷ユニット３ａと一体構成になっている。なお図示してないが下流側の間欠送り装置１２は最下硫側である第３の印刷ユニット３ｃと一体構成となっている。この実施の形態では間欠送り装置１１，１２を移動するための機構は不要になる。
【００２４】
この実施の形態によれば、印刷ユニット３ａ，３ｃの移動に従って上流側及び下流側の間欠送り装置１１，１２もこれと一体状に移動し、及び印刷ユニット３ａ，３ｃと一体状に固定され、各間欠送り装置１１，１２と印刷ユニット３ａ，３ｃとの間の間隔が常に最短状態に保たれる。
【００２５】
図５は片面印刷の場合を示すものであるから、両面印刷の場合は、図４に示すように両者間の間隔を必要長さだけとった状態でこの両者を一体構成にする。
【図面の簡単な説明】
【００２６】
【図１】バリアブル印刷機の概略的な構成を示す説明図である。
【図２】本発明に係るバリアブル印刷機で、片面印刷状態を示す構成説明図である。
【図３】移動可能にしたフレームの構成及びこれの移動手段と固定手段を概略的に示す斜視図である。
【図４】両面印刷を行う場合の概略的な説明図である。
【図５】本発明の他例を示す概略的な説明図である。
【符号の説明】
【００２７】
１，１１，２，１２…間欠送り装置
３ａ，３ｂ，３ｃ…印刷ユニット
４…版胴
５…ブランケット
６…圧胴
７…ブランケット
８…用紙
９…基台
１０…給紙装置
１３…加工機
１４…乾燥機
１５…フレーム
１６…レール
１７…リニアガイド
１８…ねじ軸
１９…傘歯車機構
２０…ハンドル
２１ロック部材
２２…偏心カム。
【図１】
2005088514.tif 000003
【図２】
2005088514.tif 000004
【図３】
2005088514.tif 000005
【図４】
2005088514.tif 000006
【図５】
2005088514.tif 000007